(57)【要約】【課題】画像の属性データの取り扱い負担を軽減できる情報処理装置及び情報処理システムを提供することである。【解決手段】ファクリミリ複合装置１で送受信したファクシミリの画像の通信属性に関する属性データが、ファクシミリ複合装置１内のユニット間のデータ伝送路（ここではバス１９）の種別や、データファイルＤ１，Ｄ２がこの装置１から外部装置３１に伝送される際のデータ伝送形式にかかわらずに、一定（同一）のデータ記述形式でそのデータ要素が記述され、テキストファイルとして構成される。【選択図】図１
2008124544.tif 000002
【特許請求の範囲】
【請求項１】
画像の送信及び受信の少なくともいずれか一方を行う通信処理部と、
前記通信処理部により送信又は受信された前記画像の通信属性に関する属性データをテキストファイル形式で作成する属性データ作成部と、
データ伝送形式が異なる複数のデータ伝送モジュールを有し、その複数のデータ伝送モジュールを選択的に用いて前記画像の画像データ及び前記属性データを所定の伝送先に伝送する伝送処理部と、を備え、
前記複数のデータ伝送モジュールのいずれによって伝送されるかにかかわらず、前記属性データは、そのデータ要素が同一の記述形式で記述されることを特徴とする情報処理装置。
【請求項２】
請求項１に記載の情報処理装置において、
前記属性データ作成部は、前記属性データの識別子を、その属性データが対応する前記画像の画像データの識別子と対応するように設定することを特徴とする情報処理装置。
【請求項３】
請求項１又は請求項２に記載の情報処理装置において、
前記属性データはタグを用いて構造化されていることを特徴とする情報処理装置。
【請求項４】
請求項１ないし請求項３のいずれかに記載の情報処理装置において、
前記属性データは、前記画像の送信先データ、送信元データ、送信日時データ、受信日時データ及び解像度のうちの少なくとも１つを含むことを特徴とする情報処理装置。
【請求項５】
請求項１ないし請求項４のいずれかに記載の情報処理装置において、
前記画像は、ファクリミリにより送信又は受信されたものであることを特徴とする情報処理装置。
【請求項６】
請求項１ないし請求項５のいずれに記載の情報処理装置と、
前記情報処理装置の前記伝送処理部によって伝送されてきた前記画像の画像データと前記属性データとを受け取る外部装置と、を備えることを特徴とする情報処理システム。
【請求項７】
画像の送信及び受信の少なくともいずれか一方を行う情報処理装置であって、
データ伝送路で接続されたデータ処理を行う複数のユニットを備え、
前記複数のユニットのうちのいずれか１つは、
画像の送信及び受信のうちの少なくとも一方を行う通信処理部と、
前記通信処理部により送信又は受信された前記画像の通信属性に関する属性データを、そのデータ伝送に用いられる前記データ伝送路の種別にかかわらず、一定のデータ記述形式でテキストファイルとして作成し、前記画像の画像データと、その作成した属性データとを他のユニットに前記データ伝送路を介して伝送する属性データ作成部と、を備えることを特徴とする情報処理装置。
【発明の詳細な説明】
【技術分野】
【０００１】
本発明は、情報処理装置及び情報処理システムに関する。
【背景技術】
【０００２】
従来の装置として、画像を処理した際に、その画像の属性データを作成して画像とともに伝送したり、保存するものがある（例えば、特許文献１）。
【特許文献１】特開２００６−１６５７１２号公報
【発明の開示】
【発明が解決しようとする課題】
【０００３】
しかしながら、前記のような従来の装置では、属性データのデータ記述形式等はデータ伝送形式等の違いや、機種等によって異なっている場合が多い。このため、例えば画像及び属性データを伝送する際のデータ伝送形式が異なる場合には、伝送形式ごとに属性データのデータ要素の記述形式等を設定することとなり、属性データを伝送するためのデータ記述形式やシステム設計に負担がかかるという問題が生じていた。
【０００４】
そこで、本発明の解決すべき課題は、画像の属性データの取り扱い負担を軽減できる情報処理装置及び情報処理システムを提供することである。
【課題を解決するための手段】
【０００５】
上記の課題を解決するため、請求項１の発明では、画像の送信及び受信の少なくともいずれか一方を行う通信処理部と、前記通信処理部により送信又は受信された前記画像の通信属性に関する属性データをテキストファイル形式で作成する属性データ作成部と、データ伝送形式が異なる複数のデータ伝送モジュールを有し、その複数のデータ伝送モジュールを選択的に用いて前記画像の画像データ及び前記属性データを所定の伝送先に伝送する伝送処理部とを備え、前記複数のデータ伝送モジュールのいずれによって伝送されるかにかかわらず、前記属性データは、そのデータ要素が同一の記述形式で記述される。
【０００６】
また、請求項２の発明では、請求項１の発明に係る情報処理装置において、前記属性データ作成部は、前記属性データの識別子を、その属性データが対応する前記画像の画像データの識別子と対応するように設定する。
【０００７】
また、請求項３の発明では、請求項１又は請求項２の発明に係る情報処理装置において、前記属性データはタグを用いて構造化されている。
【０００８】
また、請求項４の発明では、請求項１ないし請求項３のいずれかの発明に係る情報処理装置において、前記属性データは、前記画像の送信先データ、送信元データ、送信日時データ、受信日時データ及び解像度のうちの少なくとも１つを含む。
【０００９】
また、請求項５の発明では、請求項１ないし請求項４のいずれかの発明に係る情報処理装置において、前記画像は、ファクリミリにより送信又は受信されたものである。
【００１０】
また、請求項６の発明では、請求項１ないし請求項５のいずれの発明に係る情報処理装置と、前記情報処理装置の前記伝送処理部によって伝送されてきた前記画像の画像データと前記属性データとを受け取る外部装置とを備える。
【００１１】
また、請求項７の発明では、画像の送信及び受信の少なくともいずれか一方を行う情報処理装置であって、データ伝送路で接続されたデータ処理を行う複数のユニットを備え、前記複数のユニットのうちのいずれか１つは、画像の送信及び受信のうちの少なくとも一方を行う通信処理部と、前記通信処理部により送信又は受信された前記画像の通信属性に関する属性データを、そのデータ伝送に用いられる前記データ伝送路の種別にかかわらず、一定のデータ記述形式でテキストファイルとして作成し、前記画像の画像データと、その作成した属性データとを他のユニットに前記データ伝送路を介して伝送する属性データ作成部と、を備える。
【発明の効果】
【００１２】
請求項１に記載の発明によれば、画像データ及び属性データのデータ伝送に用いるデータ伝送モジュールが異なっても、属性データを作成及び解析等するための構成（処理プログラム等）は共通の構成を採用でき、画像の属性データの取り扱い負担を軽減できる。
【００１３】
請求項２に記載の発明によれば、属性データの識別子が対応する画像データの識別子と対応するように設定されるため、画像データに対応する属性データを容易に識別でき、属性データの取り扱いが容易である。
【００１４】
請求項３に記載の発明によれば、属性データがタグを用いて構造化されているため、属性データに含まれる各データ要素の取り扱いが容易である。
【００１５】
請求項４に記載の発明によれば、属性データが、画像の送信先データ、送信元データ、送信日時データ、受信日時データ及び解像度のうちの少なくとも１つを含むため、属性データにより画像の属性を的確に把握することができる。
【００１６】
請求項５に記載の発明によれば、ファクシミリにより送信又は受信した画像及びその属性データの伝送、そして伝送先での処理を簡易な構成で容易に行うことができる。
【００１７】
請求項６に記載の発明によれば、送信又は受信した画像及びその属性データの伝送、そして伝送先での処理を簡易な構成で容易に行うことができる情報処理システムを提供できる。
【００１８】
請求項７に記載の発明によれば、情報処理装置内に備えられるユニット間で画像データ及び属性データを伝送する際のデータ伝送路の種別が異なっても、属性データを作成及び解析等するための構成（処理プログラム等）は共通の構成を採用でき、画像の属性データの取り扱い負担を軽減できる。
【発明を実施するための最良の形態】
【００１９】
図１は、本発明の一実施形態に係る情報処理装置としてのファクシミリ複合装置のブロックである。このファクシミリ複合装置１は、図１に示すように、本体ユニット２と、その本体ユニット２にオプションとして着脱可能に装着されるネットワークユニット３とを備えて構成されており、後述するネットワーク５を介して接続された一又は複数の外部装置３１とともに情報処理システムを構成している。
【００２０】
本体ユニット２は、ＭＦＰを構成する主機器としてのファクシミリ装置であり、ネットワークユニット３はネットワークＩ／Ｆボードからなる従属機器としてのオプション機器であり、ファクシミリ装置１にオプションとして、ＬＡＮ及びインターネットを含むネットワーク５に対する通信機能を付与するようになっている。本体ユニット２とネットワークユニット３とは、データ伝送路としてのバス４により互いに接続されている。
【００２１】
本体ユニット２は、ネットワークユニット３を含まないそれ単体では複写機能を有する一般的なファクシミリ装置の如き構成となっており、制御部１０と、制御部１０にバス１９を介して接続された記憶部１１、スキャナ１２、プリンタ１３、モデム１４、ＮＣＵ１５、操作パネル（操作部）１６、表示部１７及びＩ／Ｆ１８とを備えている。記憶部１１は、ＲＯＭ、ＲＡＭ等の記憶装置を備えて構成されれている。
【００２２】
制御部１０は、ＣＰＵ等により構成され、記憶部１１のＲＯＭに記憶されているコンピュータプログラムに基づいてその動作に必要な様々な処理を実行する。また、制御部１０は、機能要素として通信処理部としてのファクシミリ通信処理部１０ａと、属性データ作成部１０ｂとを備えている。ファクリミリ通信処理部１０ａは、後述するモデム１４及びＮＣＵ１５を制御することにより、ファクリミリの送受信処理を司っている。属性データ作成部１０ｂの役割等については後述する。
【００２３】
記憶部１１に備えられる書き換え可能なメモリには、本体ユニット２の動作設定に関する設定データなどが記憶されている。設定データとしては、互いに対応付けられた相手先名及びファクシミリ番号が含まれている。
【００２４】
モデム１４は、ファクシミリ通信が可能なファクシミリモデムから構成されている。また、モデム１４は、同様にバス１９に接続されたＮＣＵ（Network Control Unit）１５と直接的に接続されている。ＮＣＵ１５は、アナログの公衆電話回線網（ＰＳＴＮ）６との回線の閉結及び開放の動作を行なうハードウェアであり、必要に応じてモデム１４を公衆電話回線網６と接続する。なお、ＩＳＤＮ用インタフェースを備えることにより、デジタル回線網（ＩＳＤＮ）に接続するようにしてもよい。
【００２５】
操作パネル１６は、ファクシミリ複合装置１を操作するために必要な文字キー、テンキー、短縮ダイヤルキー、及びワンタッチダイヤルキー等の各種キーを備えている。
【００２６】
表示部１７は、液晶表示装置（ＬＣＤ）等の表示装置を備え、制御部１０の動作状態等を表示する。なお、これに代えてタッチパネル方式の表示装置を備えることにより、前述した操作パネル１６の一部又は全部を代用することも可能である。
【００２７】
スキャナ１２は、ＣＣＤ等を利用して原稿を読み取り、白黒２値に変換したドットイメージデータ等を出力する。
【００２８】
プリンタ１３は、電子写真方式等のプリンタ装置であり、上述したスキャナ１２により読み込まれたイメージデータ、ファクシミリ受信したイメージデータ等をプリントアウトする。
【００２９】
以上の如く構成されたファクシミリ複合装置１に取り付けられたネットワークユニット３は、それが備えるデータ受渡部（例えば、デュアルポートＲＡＭ）２２及びバス４を介して、ファクシミリ複合装置１のバス１９に接続された適宜のＩ／Ｆ１８に繋げられている。
【００３０】
ネットワークユニット３は、制御部２０と、該制御部２０にバス２４を介して接続された記憶部２１、データ受渡部２２、及び通信Ｉ／Ｆ２３とを備えている。記憶部２１は、ＲＯＭ及びＲＡＭ等の記憶装置を備えて構成されている。
【００３１】
制御部２０は、記憶部２１のＲＯＭに記憶されているコンピュータプログラムに基づいてその動作に必要な様々な処理を実行する。記憶部２１に備えられる書き換え可能なメモリには、ネットワークユニット３の動作設定に関する設定データなどが記憶されている。
【００３２】
通信Ｉ／Ｆ２３は、ネットワークユニット３をネットワーク５を介して他の一又は複数の外部装置３１へ接続するためのインタフェースである。制御部２０には、複数の異なるデータ伝送形式に対応したＨＴＴＰ（HyperText Transfer Protocol）通信処理部２０ａ、ＦＴＰ（File Transfer Protocol）通信処理部２０ｂ、及びＳＭＢ（Server Message Block）通信処理部２０ｃが備えられており、伝送相手先の外部装置３１のデータ伝送形式に対応する各通信処理部２０ａ〜２０ｃが選択的に用いられて、外部装置３１との間のデータ伝送が行われるようになっている。
【００３３】
外部装置３１は、ＦＴＰサーバ、メールサーバ等のサーバ装置やパーソナルコンピュータ等によって構成されており、制御部４１、通信Ｉ／Ｆ４２及び記憶部４３を備えている。記憶部４３は、ＲＯＭ、ＲＡＭ等の記憶装置を備えて構成されている。制御部４１は、ＣＰＵ等により構成され、記憶部４３に記憶されているコンピュータプログラムに基づいてその動作に必要な様々な処理を実行する。また、制御部１０は、機能要素として通信処理部としての通信Ｉ／Ｆ４２及びネットワーク５を介した通信処理を司る通信処理部４１ａと、属性データ解析部４１ｂとを備えている。この属性データ解析部４１ｂの役割等については後述する。通信Ｉ／Ｆ４２は、この外部装置３１をネットワーク５に接続するための通信インターフェースである。
【００３４】
次に、本実施形態に係るファクシミリ通信装置１及びそれを用いた情報処理システムの制御部１０の属性データ作成部１０ｂ、制御部２０の通信処理部２０ａ〜２０ｃ、及び制御部４１の属性データ解析部４１ｂ等の役割や動作等について説明する。
【００３５】
制御部１０の属性データ作成部１０ｂは、ファクシミリ通信処理部１０ａによるファクシミリの送受信処理が行われると、送受信されたファクシミリの画像データと、その画像の通信属性に関するデータとを取得し、その取得したデータに基づいて送受信したファクシミリの保存や転送等のためのデータを作成する。より具体的には、図２に示すように、属性データ作成部１０ｂは、送受信されたファクシミリの画像データ及び取得したその通信属性に関するデータとに基づいて、画像データを含む画像データファイルＤ１と、通信属性に関するデータを含む属性データファイルＤ２とを作成する。このとき、属性データファイルＤ２のファイル形式にはテキスト形式が用いられ、ファクシミリ複合装置１内のユニット間のデータ伝送路（ここではバス１９）の種別や、データファイルＤ１，Ｄ２がこの装置１から外部装置３１に伝送される際のデータ伝送形式にかかわらずに、一定（同一）のデータ記述形式でそのデータ要素が記述されるようになっている。
【００３６】
その属性データの内容としては、ファクシミリの送信先データ又は送信元データ（ファクシミリ番号、送信元名称等）、送受信日時データ及び画像データの解像度等が含まれている。画像データファイルＤ１には、画像ＩＤというユニークな識別子が付与され、これに対応して、それと同じ識別子が属性データファイルＤ２の識別子にも付与されるようになっている。そして、そのデータファイルＤ１,Ｄ２は、ネットワークユニット３により所定の外部装置３１内の同一の送付先（保存用データベース、共有ホルダ）に出力されるようになっている。
【００３７】
より詳細には、属性データファイルＤ２に含まれる属性データは、タグを用いて構造化され、データ要素ごとにタグ付けされている。図３はファクシミリ番号：１２３４５６に対して１ページのファクシミリ画像を送信したときに作成される属性データの例を示す図である。図３のデータに含まれるデータ要素ｄ１はファクシミリの送受信日時（ここでは送信日時）に関するものであり、データ要素ｄ２はファクリミリのページ数（ここでは１ページ）に関するものであり、データ要素ｄ３は送受信された画像（文書）の種類（ここではファクシミリ）に関するものであり、データ要素ｄ４は送信先のファクシミリ番号に関するものであり、データ要素ｄ５は送信先名称に関するものであり、データ要素ｄ６は通信時間に関するものであり、データ要素ｄ７は通信結果に関するものである。そして、このようなデータ要素ｄ１〜ｄ７のデータ記述形式には、前述のように、ファクシミリ複合装置１内のユニット間のデータ伝送路（ここではバス１９）の種別や、データファイルＤ１，Ｄ２がこの装置１から外部装置３１に伝送される際のデータ伝送形式にかかわらずに、一定（同一）の記述形式が採用されることとなっている。なお、この図３に示す属性データは、ＨＴＴＰ形式の記載形式に従って記載したものをテキストファイルに出力したものとなっている。
【００３８】
また、属性データ作成部１０ｂは、作成した画像データファイルＤ１及び属性データファイルＤ２をバス４,１９及びＩ／Ｆ１８を介してネットワークユニット３に伝送する。この伝送の際、例えばデータファイルＤ１,Ｄ２は所定のデータ形式（バイナリデータ等）に変換されて変換されるようになっている。なお、このようなデータ形式の変換を行わずにデータ伝送するようにしてもよい。
【００３９】
ネットワークユニット３の制御部２０は、画像データファイルＤ１及び属性データファイルＤ２を本体ユニット２から受け取ると、その画像データファイルＤ１及び属性データファイルＤ２を、ＨＴＴＰ通信処理部２０ａ、ＦＴＰ通信処理部２０ｂ及びＳＭＢ通信処理部２０ｃのいずれかを用いて予め設定された外部装置３１にネットワーク５を介して伝送するようになっている。いずれの通信処理２０ａ〜２０ｃを用いてデータファイルＤ１,Ｓ２の伝送を行うかは、外部装置３１とのデータ伝送に採用されているデータ伝送形式に応じて決定される。
【００４０】
外部装置３１の制御部４１に備えられる属性データ解析部４１ｂは、通信処理部４１ａにより画像データファイルＤ１及び属性データファイルＤ２が受信されると、そのデータファイルＤ１,Ｄ２を記憶部３３内に保存する。このとき、属性データ解析部４１ｂは、必要に応じて、テキストファイル形式で形成された属性データファイルＤ２のデータ内容を解析してそのデータ形式の変換等を行う。なお、変形例として、属性データ解析部４１ｂを省略し、ネットワーク５を介して伝送した画像データファイルＤ１及び属性データファイルＤ２を記憶部４３内に設けられた共有ホルダにそのまま保存するようにてもよい。
【００４１】
以上のように、本実施形態によれば、属性データファイルＤ２のファイル形式にはテキスト形式が用いられ、ファクシミリ複合装置１内のユニット間のデータ伝送路（ここではバス１９）の種別や、データファイルＤ１，Ｄ２がこの装置１から外部装置３１に伝送される際のデータ伝送形式にかかわらずに、一定（同一）のデータ記述形式でそのデータ要素が記述されるため、異なるデータ伝送形式が採用される場合であっても、属性データを作成及び解析等するための構成（処理プログラム等）は共通の構成を採用でき、画像の属性データの取り扱い負担を軽減できる。
【００４２】
また、属性データファイルＤ２の識別子に、対応する画像データファイルＤ１と同一の識別子が付与されているため、画像データに対応する属性データを容易に識別でき、属性データの取り扱いが容易である。
【００４３】
また、属性データがタグを用いて構造化されているため、属性データに含まれる各データ要素の取り扱いが容易である。
【００４４】
また、属性データが、ファクシミリ画像の送信先データ又は送信元データ、送受信日時データ及び解像度等を含むため、属性データにより画像の属性を的確に把握することができる。
【００４５】
また、ネットワーク５により接続されたファクリミリ複合装置１及び外部装置３１により構成される情報処理システムにより、送受信したファクリミリ画像及びその属性データの伝送、そして伝送先での処理を簡易な構成で容易に行うことができる。
【００４６】
なお、本実施形態では、テキストファイル形式による属性データファイルＤ２の作成を行う属性データ作成部１０ｂを本体ユニット２の制御部２に設けるようにしたが、属性データ作成部１０ｂをネットワークユニット３の制御部２０に設けるようにしてもよい。
【００４７】
また、本実施形態では、ファクリミリ画像とそれに関連する属性データに対して本願発明による技術を適用したが、インターネットファクシミリ等の他の通信方式により伝送される画像及びその属性データに対して本願発明による技術を適用するようにしてもよい。
【図面の簡単な説明】
【００４８】
【図１】本発明の一実施形態に係る情報処理装置としてのファクシミリ複合装置のブロック図である。
【図２】図１のファクシミリ複合装置による画像データ及び属性データに関する情報処理を説明する説明図である。
【図３】属性データの内容を例示的に示す図である。
【符号の説明】
【００４９】
１  ファクシミリ複合装置
２  本体ユニット
３  ネットワークユニット
１０  制御部
１０ａ  ファクシミリ通信処理部
１０ｂ  属性データ作成部
２０  制御部
２０ａ  ＨＴＴＰ通信処理部
２０ｂ  ＦＴＰ通信処理部
２０ｃ  ＳＭＢ通信処理部
３１  外部装置
【図１】
2008124544.tif 000003
【図２】
2008124544.tif 000004
【図３】
2008124544.tif 000005